(57)【特許請求の範囲】
【請求項１】
近赤外分光分析計が使用される近赤外アルカリ濃度分析計において、
測定流体のヘッド圧が加わるように配置された流通形フローセルと、
この流通形フローセルを検出部として測定流体のアルカリ濃度を測定分析する近赤外分析計と、
鉛直に配置され上方端が前記流通形フローセルに接続され下方端が沈殿タンクに接続された接続パイプと、
前記沈殿タンクの下端側に設けられた測定流体の流出入口とフラッシング空気流入口と、
前記流通形フローセルの上端側に設けられた洗浄水流入口と圧送用空気流入口と
を具備したことを特徴とする近赤外アルカリ濃度分析装置。
【請求項２】
前記流通形フローセルと前記沈殿タンクとを覆う保温手段が設けられたこと
を特徴とする請求項１記載の近赤外アルカリ濃度分析装置。
【請求項３】
前記保温手段として、温度ジャケットが使用されたこと
を特徴とする請求項２記載の近赤外アルカリ濃度分析装置。
【請求項４】
前記保温手段に恒温水循環水路が取付けられたこと
を特徴とする請求項２又は請求項３記載の近赤外アルカリ濃度分析装置。
【請求項５】
前記保温手段が所定温度に一定に保たれたこと
を特徴とする請求項２乃至請求項４の何れかに記載の近赤外アルカリ濃度分析装置。
【請求項６】
前記流通形フローセルの上端側に設けられたガス抜き手段
を具備したことを特徴とする請求項１乃至請求項５の何れかに記載の近赤外アルカリ濃度分析装置。
【請求項７】
前記ガス抜き手段として、前記流通形フローセルの上端側に設けられたガス抜きパイプ
を具備したことを特徴とする請求項６記載の近赤外アルカリ濃度分析装置。
【請求項８】
前記ガス抜き手段として、前記ガス抜きパイプに設けられたガストラップ
を具備したことを特徴とする請求項６記載の近赤外アルカリ濃度分析装置。
【請求項９】
前記近赤外分析計の検出部の窓を清掃する清掃手段を
を具備したことを特徴とする請求項１乃至請求項８の何れかに記載の近赤外アルカリ濃度分析装置。
【請求項１０】
前記清掃手段として、洗浄液が使用されたこと
を特徴とする請求項９記載の近赤外アルカリ濃度分析装置。
【請求項１１】
前記近赤外分析計の検出部に設けられこの検出部に校正液を注入して前記近赤外分光分析計の校正を行う校正液注入手段
を具備したことを特徴とする請求項１乃至請求項１０の何れかに記載の近赤外アルカリ濃度分析装置。
【発明の詳細な説明】
【０００１】
【発明の属する技術分野】
本発明は、パルプ製造プラントにおける、チップ蒸解液回収サイクルの中の、特に、白乳液中のアルカリ濃度を連続測定することにより、より早い段階でのアルカリ濃度の情報を得て、装置を制御出来るようにして、パルプ品質の向上と測定工数の削減が図れる近赤外アルカリ濃度分析装置に関するものである。
【０００２】
【従来の技術】
図３は、パルプ製造プラントにおける、薬品回収サイクルの一般的な流れ図を示すものである。
図において、溶解手段（連釜）１にチップ、白液が投入されてチップが蒸解される。
蒸解が終了すると蒸解パルプ及び蒸解廃液は連釜１から排出される。
【０００３】
このパルプ、廃液混合物は、プロータンク２を介してパルプ洗浄手段３へ送出され、パルプの精製がなされると共に、黒液が回収される。
洗浄手段３で回収された黒液は、稀黒液タンク４に送出される。この黒液には、最初に添加した白液に、チップから溶出した有機物質が含まれている。
【０００４】
この黒液の一部は、連釜１に戻されて苛性ソーダ液の希釈等に使用されるが、大部分の黒液はエバボレータ（乾燥機）５で濃縮され、濃黒液タンク６に送出される。
この黒液には、有機成分、Ｎａ２Ｃ０３、Ｎａ２Ｓ、Ｎａ２ＳＯ４、ＮａＯＨ等のアルカリ成分が含まれている。
【０００５】
次に、濃縮黒液は、回収ボイラー７で燃焼されるが、その目的は
▲１▼ソーダ分の回収、
▲２▼Ｎａ２ＳＯ４をＮａ２Ｓに還元、
▲３▼蒸解により溶出した有機物を熱源として回収、
である。
【０００６】
なお、回収ボイラー７では酸化、トライ、還元作用等が行われる。
上記無機物質は、溶融状態で、回収ボイラー７の底部からスメルトとして取出される。
【０００７】
回収ボイラー７から取出されたスメルトは、デゾルバ８に送出されて、弱液で溶解され、緑液クラリファイア９に送られ、不純物が取り除かれて清澄化される。
この清澄化された緑液は、緑液タンク１０に貯留される。
この緑液の成分は、炭酸ソーダ及び硫化ソーダである。
【０００８】
この緑液に対して、苛性化手段１１により苛性化処理が行なわれる。
苛性化は生石灰を用いて行われ、蒸解に必要な苛性ソーダが生成される。
苛性化によって生成された液は、白乳液と呼ばれる。
この白乳液には不溶性の炭酸カルシウム（ＣａＣＯ３）が含まれているので、白液クラリファイア１２で炭酸カルシウムを分離して清澄化する。
【０００９】
清澄化された白乳液の上澄み液は、白液と呼ばれる。
白液は白液タンク１３に貯留される。
清澄化された白液には、Ｎａ２Ｃ０３、Ｎａ２Ｓ、Ｎａ２ＳＯ４などの成分が含まれている。
【００１０】
ところで、はじめに述べたように溶解手段１にチップ、白液（苛性ソーダ液）を投入するに際しては、白液や緑液のアルカリ量比が重要な管理項目となる。
本発明の場合は、白乳液が重要な管理項目となる。
【００１１】
従って、従来は、担当オペレータが、日に１回又は２回、白乳液のサンプル液を採取してラボ室へ運び、滴定法等で分析し、その値に基づいて苛性化手段でのＣａＯの投入量を制御して、白液や緑液のアルカリ量比を調整していた。
【００１２】
図４は、従来より一般に使用されている従来例の要部構成説明図である。
図において、タンク２１には、測定流体ＦＬｏが満たされている。
滴定分析計２２では、測定流体ＦＬｏの滴定分析がなされる。
滴定分析された測定流体ＦＬｏは、回収タンク２３に回収されて、２４によりタンク２１に戻される。
【００１３】
【発明が解決しようとする課題】
しかしながら、このような装置においては、白液，白乳液や緑液は、高濃度のＮａＯＨなどを含む高アルカリ液の危険な物体であり、オペレータがこれを採取したり、手分析を行なう際にも危険が伴うという間題がある。
また、サンプルの監視が、長期間の断続的となるので、木目細かな管理ができないという間題があった。
【００１４】
特に、白乳液の分析に関しては、細かな懸濁の影響で、ポンプ２４の故障率が高い。
また、滴定分析計２２では、試薬として、有害物質であるホルマリンを使用するので、地球環境に良くない。
【００１５】
本発明はこのような間題点を解決するためになされたものである。
本発明は、パルプ製造プラントにおける、チップ蒸解液回収サイクルの中の、特に、白乳液中のアルカリ濃度を連続測定することにより、より早い段階でのアルカリ濃度の情報を得て、装置を制御出来るようにして、パルプ品質の向上と測定工数の削減が図れる近赤外アルカリ濃度分析装置を提供することを目的とする。
【００１６】
【課題を解決するための手段】
このような目的を達成するために、本発明では、請求項１の近赤外アルカリ濃度分析装置においては、
近赤外分光分析計が使用される近赤外アルカリ濃度分析計において、
測定流体のヘッド圧が加わるように配置された流通形フローセルと、この流通形フローセルを検出部として測定流体のアルカリ濃度を測定分析する近赤外分析計と、鉛直に配置され上方端が前記流通形フローセルに接続され下方端が沈殿タンクに接続された接続パイプと、前記沈殿タンクの下端側に設けられた測定流体の流出入口とフラッシング空気流入口と、前記流通形フローセルの上端側に設けられた洗浄水流入口と圧送用空気流入口とを具備したことを特徴とする。
【００１７】
この結果、白乳液の測定において、懸濁液状態であっても、流通形フローセルと接続パイプと沈殿タンクとを使用して、近赤外分析計による測定を可能にした、
そして、洗浄、閉塞対策として、フラッシング空気、洗浄水、圧送用空気を使用するようにした。
【００１８】
したがって、白乳液の測定が可能となり、従来得られなかった白乳液段階でのアルカリ濃度の情報が得られ、より早い工程でのアルカリ濃度の情報を得て、苛性化工程へのフィードバックが可能となり、装置を精密に制御する事が出来、パルプ品質の向上と測定工数の削減が図れる近赤外アルカリ濃度分析装置が得られる。
【００１９】
また、測定流体のヘッド圧を利用するようにしたので、回収ポンプが不要となり、懸濁液に基づく回収ポンプの故障の頻発を気にする必要も無く、安価で、メンテナンスコストを低減出来る近赤外アルカリ濃度分析装置が得られる。
【００２０】
また、滴定分析計を使用した場合の如く、試薬として、有害物質であるホルマリンを使用しない、即ち、試薬を全く使用しないので、地球環境にやさしい近赤外アルカリ濃度分析装置が得られる。
【００２１】
また、滴定分析計等を使用した場合の如く、サンプルをラボ室へ運び、分析するのではなく、バッチ的とは言え、オンラインで分析出来るので、短時間で迅速に分析出来、且つ、取り扱いの危険性も少なくなる近赤外アルカリ濃度分析装置が得られる。
【００２２】
本発明の請求項２においては、請求項ｌ記載の近赤外アルカリ濃度分析装置において、
前記流通形フローセルと前記沈殿タンクとを覆う保温手段が設けられたことを特徴とする。
【００２３】
この結果、流通形フローセルと沈殿タンクとを覆う保温手段が設けられた事で、流通形フローセルと沈殿タンク内の液体温度を変える事が出来るので、近赤外分光分析計で問題となる、測定液体の温度を一定に保つ事も出来るし、逆に、この温度を変える事で温度係数を測定することも可能な近赤外アルカリ濃度分析装置が得られる。
【００２４】
本発明の請求項３においては、請求項２記載の近赤外アルカリ濃度分析装置において、
前記保温手段として、温度ジャケットが使用されたことを特徴とする。
【００２５】
この結果、市販の温度ジャケットを採用する事が出来るので、安価な近赤外アルカリ濃度分析装置が得られる。
【００２６】
本発明の請求項４においては、請求項２又は請求項３記載の近赤外アルカリ濃度分析装置において、
前記保温手段に恒温水循環水路が取付けられたことを特徴とする。
【００２７】
この結果、保温手段の温度を容易に積極的に得られ、保温性能の維持が容易な近赤外アルカリ濃度分析装置が得られる。
【００２８】
本発明の請求項５においては、請求項２乃至請求項４の何れかに記載の近赤外アルカリ濃度分析装置において、
前記保温手段が所定温度に一定に保たれたことを特徴とする。
【００２９】
この結果、近赤外分析計による測定が安定に精度良く出来、パルプ品質の向上が可能な近赤外アルカリ濃度分析装置が得られる。
【００３０】
本発明の請求項６においては、請求項１乃至請求項５の何れかに記載の近赤外アルカリ濃度分析装置において、
前記流通形フローセルの上端側に設けられたガス抜き手段を具備したことを特徴とする。
【００３１】
この結果、流通形フローセルと接続パイプと沈殿タンクへの測定流体の導入が迅速、容易に出来る近赤外アルカリ濃度分析装置が得られる。
【００３２】
本発明の請求項７においては、請求項６記載の近赤外アルカリ濃度分析装置において、
前記ガス抜き手段として、前記流通形フローセルの上端側に設けられたガス抜きパイプを具備したことを特徴とする。
この結果、構成が簡単で、安価な近赤外アルカリ濃度分析装置が得られる。
【００３３】
本発明の請求項８においては、請求項６記載の近赤外アルカリ濃度分析装置において、
前記ガス抜き手段として、前記ガス抜きパイプに設けられたガストラップを具備したことを特徴とする。
【００３４】
この結果、測定流体のヘッド圧の変動に影響されない近赤外アルカリ濃度分析装置が得られる。
【００３５】
本発明の請求項９においては、請求項１乃至請求項８の何れかに記載の近赤外アルカリ濃度分析装置において、
前記近赤外分析計の検出部の窓を清掃する清掃手段をを具備したことを特徴とする。
【００３６】
この結果、近赤外分析計による測定が常に正確に出来、正確で精度の高い近赤外アルカリ濃度分析装置が得られる。
【００３７】
本発明の請求項１０においては、請求項９記載の近赤外アルカリ濃度分析装置において、
前記清掃手段として、洗浄液が使用されたことを特徴とする。
【００３８】
この結果、洗浄液を光学窓に流す構成を用意するだけで良く、安価な近赤外アルカリ濃度分析装置が得られる。
【００３９】
本発明の請求項１１においては、請求項１乃至請求項１０の何れかに記載の近赤外アルカリ濃度分析装置において、
前記近赤外分析計の検出部に設けられこの検出部に校正液を注入して前記近赤外分光分析計の校正を行う校正液注入手段を具備したことを特徴とする。
【００４０】
この結果、校正が容易に出来るので、正確で精度の高い近赤外アルカリ濃度分析装置が得られる。
【００４１】
【発明の実施の形態】
以下図面を用いて本発明を詳しく説明する。
図１は本発明の一実施例を説明した近赤外アルカリ濃度分析装置のシステム構成説明図である。
図において、図４と同一記号の構成は同一機能を表す。
【００４２】
以下、図４と相違部分のみ説明する。
図ｌにおいて、流通形フローセル３１は、測定流体ＦＬｏのヘッド圧が加わるように配置されている。
具体的には、流通形フローセル３１は、タンク２１内の測定流体ＦＬｏの液面より下に配置されている。
【００４３】
近赤外分析計３２は、この流通形フローセル３１を検出部として、測定流体ＦＬｏのアルカリ濃度を測定分析する。
接続パイプ３３は、鉛直に配置され、上方端が流通形フローセル３１に接続され、下方端が沈殿タンク３４に接続されている。
【００４４】
測定流体ＦＬｏの流出入口３５と、フラッシング空気流入口３６とは、沈殿タンク３４の下端側に設けられている。
洗浄水流入口３７と圧送用空気流入口３８とは、流通形フローセル３１の上端側に設けられている。
【００４５】
保温手段４１は、流通形フローセル３１と沈殿タンク３４とを覆って設けられている。
この場合は、保温手段４１として、温度ジャケット４２が使用されている。
また、保温手段４１には、恒温水循環水路４３が取付けられている。
【００４６】
また、保温手段４１は、この場合は、６５度程度に一定に保たれている。
ガス抜き手段５１は、流通形フローセル３１の上端側に設けられている。
この場合は、ガス抜きパイプ５２が、ガス抜き手段５１として流通形フローセル３１の上端側に設けられている。
【００４７】
また、この場合は、更に、ガストラップ５３が、ガス抜き手段５１としてガス抜きパイプ５２に設けられている。結局、この場合は、ガス抜きパイプ５２とガストラップ５３とで、ガス抜き手段５１が構成されることになる。
【００４８】
以上の構成において、以下、その動作を説明する。
先ず、測定流体ＦＬｏのヘッド圧を利用して、測定流体ＦＬｏを流通形フローセル３１へ導入する。
【００４９】
測定流体ＦＬｏは、ガストラップ５３の位置まで到達する。
測定流体ＦＬｏを静止し、懸濁物を沈殿タンク３４に沈殿させる。
沈殿後、近赤外分析計３２により、近赤外スペクトルを測定する。
【００５０】
検量線に当てはめ、Ｎａ２Ｃ０３、Ｎａ２Ｓ、ＮａＯＨ，Ｔｏｔａｌアルカリ、アクティブアルカリ濃度を算出する。
以上により測定作業は終了する。
【００５１】
次に、洗浄、閉塞対策を行う。
フラッシング空気流入口３６より、フラッシング空気を導入して、沈殿タンク３４の沈殿物を攪拌する。
洗浄水流入口３７より、洗浄水を導入して、配管内の測定流体ＦＬｏを排出する。
【００５２】
圧送用空気流入口３８より、圧送用空気を導入して、配管内の測定流体ＦＬｏを全て排出する。
上述した以上の一連の作業を繰り返す。
【００５３】
この結果、白乳液の測定において、懸濁液状態であっても、流通形フローセル３１と接続パイプ３３と沈殿タンク３４とを使用して、近赤外分析計３２による測定を可能にした、
そして、洗浄、閉塞対策として、フラッシング空気、洗浄水、圧送用空気を使用するようにした。
【００５４】
したがって、白乳液の測定が可能となり、従来得られなかった白乳液段階でのアルカリ濃度の情報が得られ、より早い工程でのアルカリ濃度の情報を得て、苛性化工程へのフィードバックが可能となり、装置を精密に制御する事が出来る。
【００５５】
従って、パルプ品質の向上と測定工数の削減が図れる近赤外アルカリ濃度分析装置が得られる。
【００５６】
また、測定流体のヘッド圧を利用するようにしたので、回収ポンプ２４が不要となり、懸濁液に原因する、回収ポンプ２４の故障の頻発を気にする必要も無く、安価で、メンテナンスコストを低減出来る近赤外アルカリ濃度分析装置が得られる。
【００５７】
また、滴定分析計２２を使用した場合の如く、試薬として、有害物質であるホルマリンを使用しない、即ち、試薬を全く使用しないので、地球環境にやさしい近赤外アルカリ濃度分析装置が得られる。
【００５８】
また、滴定分析計２２等を使用した場合の如く、サンプルをラボ室へ運び、分析するのではなく、バッチ的とは言え、オンラインで分析出来るので、短時間で迅速に分析出来、且つ、取り扱いの危険性も少なくなる近赤外アルカリ濃度分析装置が得られる。
【００５９】
また、流通形フローセル３１と沈殿タンク３４とを覆う保温手段４１が設けられた事で、流通形フローセル３１と沈殿タンク３４内の液体温度を変える事が出来るので、近赤外分光分析計３２で問題となる、測定液体の温度を一定に保つ事も出来る。
また、逆に、この温度を変える事で、温度係数を測定することも可能な近赤外アルカリ濃度分析装置が得られる。
【００６０】
また、市販の温度ジャケット４１を採用する事が出来るので、安価な近赤外アルカリ濃度分析装置が得られる。
【００６１】
また、保温手段４１に恒温水循環水路４３が取付けられたので、保温手段４１の温度を容易に積極的に得られ、保温性能の維持が容易な近赤外アルカリ濃度分析装置が得られる。
【００６２】
また、保温手段４１が所定温度に一定に保たれたので、近赤外分析計３２による測定が安定に精度良く出来、パルプ品質の向上が可能な赤外アルカリ濃度分析装置が得られる。
【００６３】
また、流通形フローセル３１の上端側に設けられたガス抜き手段５１を具備したので、流通形フローセル３１と接続パイプ３３と沈殿タンク３４への測定流体ＦＬｏの導入が迅速、容易に出来る赤外アルカリ濃度分析装置が得られる。
【００６４】
また、ガス抜き手段５１として、流通形フローセル３１の上端側に設けられたガス抜きパイプ５２を具備したので、構成が簡単で、安価な赤外アルカリ濃度分析装置が得られる。
【００６５】
また、ガス抜き手段５１として、ガス抜きパイプ５２に設けられたガストラップ５３を具備したので、測定流体ＦＬｏのヘッド圧の変動に影響されない赤外アルカリ濃度分析装置が得られる。
【００６６】
図２は本発明の他の実施例の要部構成説明図である。
本実施例においては、流通形フローセル３１を検出部として測定流体のアルカリ濃度を測定分析する近赤外分析計３２の光学窓を洗浄する清掃手段６１が、設けられたものである
【００６７】
具体的には、流通形フローセル３１に、バルブＶ１１を介して洗浄液６２が充たされた供給槽６３と、バルブＶ１２を介して洗浄液廃液６４が充たされた廃液槽６５とが接続されている。
【００６８】
近赤外分光分析計３２の光学窓の汚れが激しく、指示に近赤外分光分析計３２の光学窓の汚れの影響が出る場合。
流通形フローセル３１に適切な洗浄液６２を導入し、光学窓の汚れを溶出する。
この結果、近赤外分析計３２による測定が、常に正確に出来、測定結果に信頼性の高い近赤外アルカリ濃度分析装置が得られる。
【００６９】
また、清掃手段６１として、洗浄液６２が使用されたので、洗浄液６２を光学窓に流す構成を用意するだけで良く、安価な近赤外アルカリ濃度分析装置が得られる。
なお、洗浄液６２の代わりに校正液７１を使用して、必要に応じて装置の校正を行えば、正確で、精度の高い近赤外アルカリ濃度分析装置が得られる。
【００７０】
また、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００７１】
【発明の効果】
以上説明したように、本発明の請求項ｌによれば、次のような効果がある。
近赤外分光分析計が使用される近赤外アルカリ濃度分析計において、
測定流体のヘッド圧が加わるように配置された流通形フローセルと、この流通形フローセルを検出部として測定流体のアルカリ濃度を測定分析する近赤外分析計と、鉛直に配置され上方端が流通形フローセルに接続され下方端が沈殿タンクに接続された接続パイプと、沈殿タンクの下端側に設けられた測定流体の流出入口と洗浄水流入口と、流通形フローセルの上端側に設けられた洗浄水流入口と圧送用空気流入口とを具備したことを特徴とする近赤外アルカリ濃度分析装置を構成した。
【００７２】
この結果、白乳液の測定において、懸濁液状態であっても、流通形フローセルと接続パイプと沈殿タンクとを使用して、近赤外分析計による測定を可能にした、
そして、洗浄、閉塞対策として、フラッシング空気、洗浄水、圧送用空気を使用するようにした。
【００７３】
したがって、白乳液の測定が可能となり、従来得られなかった白乳液段階でのアルカリ濃度の情報が得られ、より早い工程でのアルカリ濃度の情報を得て、苛性化工程へのフィードバックが可能となり、装置を精密に制御する事が出来、パルプ品質の向上と測定工数の削減が図れる近赤外アルカリ濃度分析装置が得られる。
【００７４】
また、測定流体のヘッド圧を利用するようにしたので、回収ポンプが不要となり、懸濁液に基づく回収ポンプの故障の頻発を気にする必要も無く、安価で、メンテナンスコストを低減出来る近赤外アルカリ濃度分析装置が得られる。
【００７５】
また、滴定分析計を使用した場合の如く、試薬として、有害物質であるホルマリンを使用しない、即ち、試薬を全く使用しないので、地球環境にやさしい近赤外アルカリ濃度分析装置が得られる。
【００７６】
また、滴定分析計等を使用した場合の如く、サンプルをラボ室へ運び、分析するのではなく、バッチ的とは言え、オンラインで分析出来るので、短時間で迅速に分析出来、且つ、取り扱いの危険性も少なくなる近赤外アルカリ濃度分析装置が得られる。
【００７７】
本発明の請求項２によれば、次のような効果がある。
流通形フローセルと前記沈殿タンクとを覆う保温手段が設けられたことを特徴とする請求項１記載の近赤外アルカリ濃度分析装置を構成した。
【００７８】
この結果、流通形フローセルと沈殿タンクとを覆う保温手段が設けられた事で、流通形フローセルと沈殿タンク内の液体温度を変える事が出来るので、近赤外分光分析計で問題となる、測定液体の温度を一定に保つ事も出来るし、逆に、この温度を変える事で温度係数を測定することも可能な近赤外アルカリ濃度分析装置が得られる。
【００７９】
本発明の請求項３によれば、次のような効果がある。
保温手段として、温度ジャケットが使用されたことを特徴とする請求項２記載の近赤外アルカリ濃度分析装置を構成した。
【００８０】
この結果、市販の温度ジャケットを採用する事が出来るので、安価な近赤外アルカリ濃度分析装置が得られる。
【００８１】
本発明の請求項４によれば、次のような効果がある。
前記保温手段に恒温水循環水路が取付けられたことを特徴とする請求項２又は請求項３記載の近赤外アルカリ濃度分析装置を構成した。
【００８２】
この結果、保温手段の温度を容易に積極的に得られ、保温性能の維持が容易な近赤外アルカリ濃度分析装置が得られる。
【００８３】
本発明の請求項５によれば、次のような効果がある。
前記保温手段が所定温度に一定に保たれたことを特徴とする請求項２乃至請求項４の何れかに記載の近赤外アルカリ濃度分析装置を構成した。
【００８４】
この結果、近赤外分析計による測定が安定に精度良く出来、パルプ品質の向上が可能な赤外アルカリ濃度分析装置が得られる。
【００８５】
本発明の請求項６によれば、次のような効果がある。
流通形フローセルの上端側に設けられたガス抜き手段を具備したことを特徴とする請求項１乃至請求項５の何れかに記載の近赤外アルカリ濃度分析装置を構成した。
【００８６】
この結果、流通形フローセルと接続パイプと沈殿タンクへの測定流体の導入が迅速、容易に出来る赤外アルカリ濃度分析装置が得られる。
【００８７】
本発明の請求項７によれば、次のような効果がある。
ガス抜き手段として、流通形フローセルの上端側に設けられたガス抜きパイプを具備したことを特徴とする請求項６記載の近赤外アルカリ濃度分析装置を構成した。
この結果、構成が簡単で、安価な赤外アルカリ濃度分析装置が得られる。
【００８８】
本発明の請求項８によれば、次のような効果がある。
ガス抜き手段として、ガス抜きパイプに設けられたガストラップを具備したことを特徴とする請求項６記載の近赤外アルカリ濃度分析装置を構成した。
【００８９】
この結果、測定流体のヘッド圧の変動に影響されない近赤外アルカリ濃度分析装置が得られる。
【００９０】
本発明の請求項９によれば、次のような効果がある。
近赤外分析計の検出部の窓を清掃する清掃手段をを具備したことを特徴とする請求項１乃至請求項８の何れかに記載の近赤外アルカリ濃度分析装置を構成した。
【００９１】
この結果、近赤外分析計による測定が常に正確に出来、正確で精度の高い近赤外アルカリ濃度分析装置が得られる。
【００９２】
本発明の請求項１０によれば、次のような効果がある。
清掃手段として、洗浄液が使用されたことを特徴とする請求項９記載の近赤外アルカリ濃度分析装置を構成した。
【００９３】
この結果、洗浄液を光学窓に流す構成を用意するだけで良く、安価な近赤外アルカリ濃度分析装置が得られる。
【００９４】
本発明の請求項１１によれば、次のような効果がある。
前記近赤外分析計の検出部に設けられこの検出部に校正液を注入して前記近赤外分光分析計の校正を行う校正液注入手段を具備したことを特徴とする請求項１乃至請求項１０の何れかに記載の近赤外アルカリ濃度分析装置を構成した。
【００９５】
この結果、校正が容易に出来るので、正確で精度の高い近赤外アルカリ濃度分析装置が得られる。
【００９６】
従って、本発明によれば、パルプ品質の向上と測定工数の削減が図れる近赤外アルカリ濃度分析装置を実現することが出来る。
【図面の簡単な説明】
【図１】本発明の一実施例の要部構成説明図である。
【図２】本発明の他の実施例の要部構成説明図である。
【図３】パルプ製造プラントにおける薬品回収サイクルの一般的な流れを示す図である。
【図４】従来より一般に使用されている従来例の要部構成説明図である。
【符号の説明】
ｌ      溶解手段
２      プロータンク
３      パルプ洗浄手段
４      稀黒液タンク
５      エバボレータ
６      濃黒液タンク
７      回収ボイラー
８      デゾルバ
９      緑液クラリファイア
１０    緑液タンク
１１    苛性化手段
１２    白液クラリファイア
１３    白液タンク
２１    タンク
２２    滴定分析計
２３    回収タンク
２４    ポンプ
３１    流通形フローセル
３２    近赤外分析計
３３    接続パイプ
３４    沈殿タンク
３５    測定流体ＦＬｏの流出入口
３６    フラッシング空気流入口
３７    洗浄水流入口
３８    圧送用空気流入口
４１    保温手段
４２    温度ジャケット
４３    恒温水循環水路
５１    ガス抜き手段
５２    ガス抜きパイプ
５３    ガストラップ
６１    清掃手段
６２    洗浄液
６３    供給槽
６４    洗浄液廃液
６５    廃液槽
７１    校正液
Ｖ１１  バルブ
Ｖ１２  バルブ
ＦＬｏ  測定流体
【図１】
0003610570.tif 000002
【図２】
0003610570.tif 000003
【図３】
0003610570.tif 000004
【図４】
0003610570.tif 000005